(57)【要約】      （修正有）【課題】多方面に連結できるフィルターフレームを提供する。【解決手段】第１フィルターフレーム１００はフレーム本体１と、フィルター固定部材２と、上周面連結部材３と、下周面連結部材４と、隣接部材６とを含む。フレーム本体１は複数のフレームストリップ１１を含み、それぞれフレームストリップ１１が外周面と内周面とを有し、複数のフレームストリップ１１が互いに連結して複数のフレームストリップ１１の内周面の内側にフィルター設置範囲Ｒを囲むように設置され、それぞれのフレームストリップ１１がフィルター設置範囲Ｒと垂直する法線ベクトルの方向Ｔに上周面と下周面とを有する。上周面連結部材３と下周面連結部材４が、それぞれフィルター設置範囲と垂直する法線ベクトルの方向Ｔに、第２フィルター及び／または第３フィルターフレームと連結される。【選択図】図１
0003207558.tif 000002
【実用新案登録請求の範囲】
【請求項１】
多方向に連結できるフィルターフレームであって、
複数のフレームストリップを含み、それぞれ前記フレームストリップが外周面と内周面とを有し、前記複数のフレームストリップが互いに連結して前記複数のフレームストリップの内周面の内側にフィルター設置範囲を囲むように設置され、それぞれの前記フレームストリップが前記フィルター設置範囲と垂直する法線ベクトルの方向に上周面と下周面とを有するフレーム本体と、
前記複数のフレームストリップの内周面の内側に設置されてフィルターを前記フィルター設置範囲に固定するフィルター固定部材と、
前記複数のフレームストリップの前記上周面に設置され、前記複数のフレームストリップの前記外周面から上へ伸びる前記フレームストリップの第１壁部と、前記複数のフレームストリップの前記内周面から上へ伸びる第２壁部と、前記第１壁部と前記第２壁部と前記フレームストリップの上周面によって上周面溝を形成する上周面連結部材と、
前記複数のフレームストリップの前記下周面に沿って設置され、前記法線ベクトルの方向に前記上周面連結部材の設置位置に対応し、外径の寸法が前記上周面溝の内径の寸法と整合する下周面連結部材と、
前記フレームストリップの前記外周面に沿って延設され、第１隣接壁部と、第２隣接壁部と、前記第１隣接壁部と前記第２隣接壁部の間に凹設する外側凹部とを有し、前記第１隣接壁部、前記第２隣接壁部および前記外側凹部が前記フレームストリップの外周面に沿って設置されて前記フレームストリップに沿って伸びる隣接溝を形成し、前記隣接溝がその断面の内側が大きく且つ外側が小さい凹み形状を有する隣接部材と、
を含み、
前記フィルターフレームを第１フィルターフレームとして、前記第１フィルターフレームが前記法線ベクトルの方向に沿って、前記上周面連結部材で第２フィルターフレームの下周面連結部材に係合し、および/または前記下周面連結部材で第３フィルターフレームの上周面連結部材に係合して、前記フィルターフレームが前記フィルター設置範囲と垂直する前記法線ベクトルの方向に前記第２フィルターフレームおよび/または前記第３フィルターフレームと連結され、
前記フィルターフレームの前記第１隣接壁部と第４フィルターフレームの第１隣接壁部とを向かい合わせ、及び前記第２隣接壁部と前記第４フィルターフレームの第２隣接壁部とを向かい合わせにすることによって、前記隣接溝を前記第４フィルターフレームの隣接溝と隣接させてピン設置空間を形成し、前記ピン設置空間の形状と整合するピンを前記ピン設置空間に設置することによって、外周面を隣接させることで前記フィルターフレームを前記第４フィルターフレームに隣接させることを特徴とするフィルターフレーム。
【請求項２】
前記下周面連結部材が前記複数のフレームストリップの前記下周面から下へ伸びる前記フレームストリップの第３壁部と、第４壁部と、前記第３壁部と前記第４壁部の間を連結する下側凹部とを有することを特徴とする請求項１に記載のフィルターフレーム。
【請求項３】
前記複数のフレームストリップがそれぞれの外周面に前記第１隣接壁部と、前記第２隣接壁部と、前記外側凹部とを有することを特徴とする請求項１に記載のフィルターフレーム。
【請求項４】
前記フィルター固定部材が前記フレーム本体の内周面の相対する両側に設置されることを特徴とする請求項１に記載のフィルターフレーム。
【請求項５】
前記フィルター固定部材が前記フレーム本体の内周面から中へ伸びる支持凸縁部と、前記支持凸縁部に係合するフィルター固定支持具とを含み、前記フィルター固定支持具が前記支持凸縁部から前記法線ベクトルの方向に上へ伸び、且つ前記フレーム本体の内周面と間隔を置き、前記フィルター固定支持具と前記フレーム本体の内周面の間に前記フィルターを支持することで固定するフィルター挟み込み溝を形成することを特徴とする請求項１に記載のフィルターフレーム。
【請求項６】
フィルターをさらに含み、前記フィルターがろ過面と、前記ろ過面と連結する係合部とを有し、前記フィルターが前記係合部を通じて前記フィルター固定支持具に連結するように設置されることを特徴とする請求項５に記載のフィルターフレーム。
【請求項７】
前記フレームストリップが複数の板状壁から構成される中空のフレームストリップであることを特徴とする請求項５に記載のフィルターフレーム。
【請求項８】
前記フレームストリップと、前記フィルター固定部材と、前記上周面連結部材と、前記下周面連結部材と、前記第１隣接壁部と、前記第２隣接壁部と、前記外側凹部とが一体形成されるものであることを特徴とする請求項５に記載のフィルターフレーム。
【考案の詳細な説明】
【技術分野】
【０００１】
本考案はフィルターフレームに関し、特に、多方向に連結できるフィルターフレームに関する。
【背景技術】
【０００２】
従来のフィルター装置は箱型であるケースとケースに設置する複数フィルターとを含み、ろ過の方向に沿って流体が複数のフィルターを通過することによってろ過の効果をもたらす。
しかし、このようなろ過装置は自在に異なるろ過の必要を満たすことが難しい。例えば、少数フィルターだけが必要とされる場合は、箱型ケースは重くて利便性がない。それに対して、より多くのフィルターが必要とされる場合には、ケースの中にフィルターを増設することができない。それ故、適切なろ過装置を購入しなければならない。また、小さなろ過面積のろ過装置は大きなろ過面積を必要とする場所に応用することが難しく、大きなろ過面積のろ過装置はその体積が大きくて利便性が無い。需要に応じて特定のサイズ或いは形状のろ過装置を製造すると、そのコストが高く、実際に実行することも難しい。
【考案の概要】
【考案が解決しようとする課題】
【０００３】
それゆえ、上述の課題を解決するため、本考案の目的は多方向に連結できるフィルターフレームを提供する。
【課題を解決するための手段】
【０００４】
前記の課題を解決するための手段として、本考案は多方向に連結できるフィルターフレームであって、複数のフレームストリップを含み、それぞれ前記フレームストリップが外周面と内周面とを有し、前記複数のフレームストリップが互いに連結し前記複数のフレームストリップの内周面の内側にフィルター設置範囲を囲むように設置され、それぞれの前記フレームストリップが前記フィルター設置範囲と垂直する法線ベクトルの方向に上周面と下周面とを有するフレーム本体と、前記複数のフレームストリップの内周面の内側に設置されたフィルターを前記フィルター設置範囲に固定するフィルター固定部材と、前記複数のフレームストリップの前記上周面に設置され、前記複数のフレームストリップの前記外周面から上へ伸びる前記フレームストリップの第１壁部と、前記複数のフレームストリップの前記内周面から上へ伸びる第２壁部と、前記第１壁部と前記第２壁部と前記フレームストリップの上周面によって上周面溝を形成する上周面連結部材と、前記複数のフレームストリップの前記下周面に沿って設置され、前記法線ベクトルの方向に前記上周面連結部材の設置位置に対応し、外径の寸法が前記上周面溝の内径の寸法と整合する下周面連結部材と、前記フレームストリップの前記外周面に沿って延設され、第１隣接壁部と、第２隣接壁部と、前記第１隣接壁部と前記第２隣接壁部の間に凹設する外側凹部とを有し、前記第１隣接壁部、第２隣接壁部および前記外側凹部が前記フレームストリップの外周面に沿って設置されて前記フレームストリップに沿って伸びる隣接溝を形成し、前記隣接溝がその断面の内側が大きく且つ外側が小さい凹み形状を有する隣接部材と、を含み、前記フィルターフレームを第１フィルターフレームとして、前記第１フィルターフレームが前記法線ベクトルの方向に沿って、前記上周面連結部材で第２フィルターフレームの下周面連結部材に係合し、および/または前記下周面連結部材で第３フィルターフレームの上周面連結部材に係合して、前記フィルターフレームが前記フィルター設置範囲と垂直する前記法線ベクトルの方向に前記第２フィルターフレームおよび/または前記第３フィルターフレームと連結され、前記フィルターフレームの前記第１隣接壁部と第４フィルターフレームの第１隣接壁部とを向かい合わせ、及び前記第２隣接壁部と前記第４フィルターフレームの第２隣接壁部とを向かい合わせにすることによって、前記隣接溝を前記第４フィルターフレームの隣接溝と隣接させてピン設置空間を形成し、前記ピン設置空間の形状と整合するピンを前記ピン設置空間に設置することによって、外周面を隣接させることで前記フィルターフレームを前記第４フィルターフレームに隣接させることを特徴とするフィルターフレームを提供する。
【０００５】
本考案の一つの実施形態は前記下周面連結部材が前記複数のフレームストリップの前記下周面から下へ伸びる前記フレームストリップの第３壁部と、第４壁部と、前記第３壁部と前記第４壁部の間を連結する下側凹部とを有することを特徴とする請求項１に記載のフィルターフレームを提供する。
【０００６】
本考案の一つの実施形態は前記複数のフレームストリップがそれぞれの外周面に前記第１隣接壁部と、前記第２隣接壁部と、前記外側凹部とを有することを特徴とする請求項１に記載のフィルターフレームを提供する。
【０００７】
本考案の一つの実施形態は前記フィルター固定部材が前記フレーム本体の内周面の相対する両側に設置されることを特徴とする請求項１に記載のフィルターフレームを提供する。
【０００８】
本考案の一つの実施形態は前記フィルター固定部材が前記フレーム本体の内周面から中へ伸びる支持凸縁部と、前記支持凸縁部に係合するフィルター固定支持具とを含み、前記フィルター固定支持具が前記支持凸縁部から前記法線ベクトルの方向に上へ伸ばし、且つ前記フレーム本体の内周面と間隔を置き、前記フィルター固定支持具と前記フレーム本体の内周面の間に前記フィルターを支持することで固定するフィルター挟み込み溝を形成することを特徴とする請求項１に記載のフィルターフレームを提供する。
【０００９】
本考案の一つの実施形態はフィルターをさらに含み、前記フィルターがろ過面と、前記ろ過面と連結する係合部とを有し、前記フィルターが前記係合部を通じて前記フィルター固定支持具に連結するように設置されることを特徴とする請求項５に記載のフィルターフレームを提供する。
【００１０】
本考案の一つの実施形態は前記フレームストリップが複数の板状壁から構成される中空のフレームストリップであることを特徴とする請求項５に記載のフィルターフレームを提供する。
【００１１】
本考案の一つの実施形態は前記フレームストリップと、前記フィルター固定部材と、前記上周面連結部材と、前記下周面連結部材と、前記第１隣接壁部と、前記第２隣接壁部と、前記外側凹部とが一体形成されるものであることを特徴とする請求項５に記載のフィルターフレームを提供する。
【考案の効果】
【００１２】
本考案に採用する技術手段により、いずれのフィルターフレームも少なくとも一つのフィルターを設置することができ、フィルターフレームはフィルター設置範囲の法線ベクトルと垂直の方向に互いに連結でき、且つ、フィルターフレームはいずれのフレームストリップの外周面で他のフィルターフレームとそれぞれ連結できるので、必要に応じて対応する数でフィルター設置範囲の法線ベクトルと垂直の方向に互いに連結され、外周面で連結することによって異なる形状、ろ過面積のろ過装置ができ、異なる場所に適度な軽さで、自由度の高い効果が得られる。
【００１３】
本考案に採用される具体な実施例において、以下の実施例および図面を参考してより詳しい説明を行う。
【図面の簡単な説明】
【００１４】
【図１】本考案の実施例によるフィルターフレームの立体概略図である。
【図２】本考案の実施例によるフィルターフレームの断面概略図である。
【図３】本考案の実施例による複数の互いに連結するフィルターフレームの立体概略図である。
【図４】本考案の実施例による複数の法線ベクトルの方向に連結するフィルターフレームの断面概略図である。
【図５】本考案の実施例による二つ隣接するフィルターフレームの断面概略図である。
【考案を実施するための形態】
【００１５】
以下、本考案を実施するための形態について、図１〜図５に基づいて説明する。この説明は本考案を限定するものではなく、本考案の一つの実施例にすぎない。
【００１６】
図１に示すように、本考案による一つの実施例の第１フィルターフレーム１００はフレーム本体１と、フィルター固定部材２と、上周面連結部材３と、下周面連結部材４と、隣接部材６とを含む。
【００１７】
図２は図１中Ａ−Ａの位置で切断した断面図である。フレーム本体１は複数のフレームストリップ１１を含み、それぞれフレームストリップ１１が外周面１１１と内周面１１２とを有し、複数のフレームストリップ１１が互いに連結して複数のフレームストリップ１１の内周面１１２の内側にフィルター設置範囲Ｒを囲むように設置され、それぞれのフレームストリップ１１がフィルター設置範囲Ｒと垂直する法線ベクトルの方向Ｔに上周面１１３と下周面１１４とを有する。本実施例において、フレーム本体１は四本フレームストリップ１１を有して正方形になるが、本考案はこれに限定されず、長方形や菱形にすることもでき、三本フレームストリップ１１だけ、或いはより多くのフレームストリップ１１を有して、三角形や多角形にすることもできる。
【００１８】
フィルター固定部材２は複数のフレームストリップ１１の内周面１１２の内側に設置されてフィルター５をフィルター設置範囲Ｒに固定する。本実施例において、フィルター固定部材２はフレーム本体１の内周面１１２の相対する両側に設置される。フィルター固定部材２はフレーム本体１の内周面１１２から内部に伸びる支持凸縁部２１と、支持凸縁部２１に係合するフィルター固定ホルダー２２とを有する。フィルター固定ホルダー２２は支持凸縁部２１から法線ベクトルの方向Ｔに上へ伸びてフレーム本体１の内周面１１２と間隔を置き、フィルター固定ホルダー２２とフレーム本体１の内周面１１２の間にフィルター５を対応支持して固定するフィルター挟み込み溝Ｃを形成する。本実施例において、第１フィルターフレーム１００は着脱できるフィルター５を含む。フィルター５はろ過面５１と、ろ過面５１と連結するドッキング部材５２とを有し、フィルター５は設置されてドッキング部材５２でフィルター固定ホルダー２２に連結される。詳しく述べると、本実施例において、ドッキング部材５２をフィルター挟み込み溝Ｃに対応設置する。
【００１９】
上周面連結部材３は複数のフレームストリップ１１の上周面に設置される。上周面連結部材３は複数のフレームストリップ１１の外周面１１１から上へ伸びるフレームストリップの第１壁部３１と、複数のフレームストリップ１１の前記内周面１１２から上へ伸びるフレームストリップ１１の第２壁部３２と、第１壁部３１と第２壁部３２とフレームストリップ１１の上周面１１３によって上周面溝Ｕを形成する。
【００２０】
下周面連結部材４は複数のフレームストリップ１１の下周面１１４に沿って設置される。上周面連結部材３と下周面連結部材４の設置位置は法線ベクトルの方向Ｔに対応し、下周面連結部材４の外径のサイズが前記上周面溝Ｕの内径の寸法と整合する。本実施例において、下周面連結部材４が複数のフレームストリップ１１の下周面１１４から下へ伸びるフレームストリップ１１の第３壁部４１と、第４壁部４２と、第３壁部４１と第４壁部４２の間を連結する下側凹部４３とを有する。
【００２１】
隣接部材６はフレームストリップ１１の外周面１１１に沿って延設される。隣接部材６は第１隣接壁部６１と、第２隣接壁部６２と、第１隣接壁部６１と第２隣接壁部６２の間に凹設する外側凹部６３とを有し、第１隣接壁部６１、第２隣接壁部６２および外側凹部６３がフレームストリップ１１の外周面１１１に沿って設置されてフレームストリップ１１に沿って伸びる隣接溝Ｇを形成される。隣接溝Ｇがその断面の内側が大きく且つ外側が小さい凹み形状を有する。
【００２２】
図３と図４に示すように、本考案の第１フィルターフレーム１００は法線ベクトルの方向に沿って、上周面連結部材３で第２フィルターフレーム１００ａの下周面連結部材に係合し、また、下周面連結部材４で第３フィルターフレーム１００ｂの上周面連結部材に係合して、第１フィルターフレーム１００がフィルター設置範囲Ｒと垂直する前記法線ベクトルの方向Ｔに第２フィルターフレーム１００ａ、第３フィルターフレーム１００ｂと連結する。詳しく述べると、第１フィルターフレーム１００の上周面溝Ｕの内径の寸法は第２フィルターフレーム１００ａの下周面連結部材の第３壁部４１ａおよび第４壁部４２ａの外径の寸法と整合し、第２フィルターフレーム１００ａの下周面連結部材の第３壁部４１ａ、第４壁部４２ａおよび下側凹部４３ａが第１フィルターフレーム１００の上周面溝Ｕに設置される。一方、第１フィルターフレーム１００の下周面連結部材４の外径の寸法は第３フィルターフレーム１００ｂの第１壁部３１ｂおよび第２壁部３２ｂが形成する上周面溝の内径の寸法と整合し、第１フィルターフレーム１００の第３壁部４１、第４壁部４２および下側凹部４３が第３フィルターフレーム１００ｂの上周面溝に設置される。
【００２３】
また、図３〜図５に示すように、本考案の第１フィルターフレーム１００の第１隣接壁部６１と第４フィルターフレーム１００ｃの第１隣接壁部６１ｃとを向かい合わせ、及び第２隣接壁部６２と第４フィルターフレーム１００ｃの第２隣接壁部６２ｃとを向かい合わせにすることによって、隣接溝Ｇを第４フィルターフレーム１００ｃの隣接溝と隣接させてピン設置空間を形成させ、ピン設置空間の形状と整合するピンＰをピン設置空間に設置することによって、外周面１１１を隣接させることで第１フィルターフレーム１００を第４フィルターフレーム１００ｃに隣接させる。
【００２４】
本実施例において、複数のフレームストリップ１１は、第１フィルターフレーム１００がいずれのフレームストリップ１１の外周面で他のフィルターフレームと隣接するように、それぞれ、外周面１１１に第１隣接壁部６１と、第２隣接壁部６２と、外側凹部６３とを有する。
【００２５】
本実施例において、フレームストリップ１１は複数の板状壁材から構成される中空なフレームストリップであり、また、フレームストリップ１１と、フィルター固定部材２と、上周面連結部材３と、下周面連結部材４と、第１隣接壁部６１と、第２隣接壁部６２と、外側凹部６３とが一体形成されるものである。それ故、本考案の第１フィルターフレーム１００は軽く、量産し易いものである。
【００２６】
上述のように、本考案の第１フィルターフレーム１００はフィルター設置範囲Ｒに対して垂直方向に沿って互いに連結されるだけではなく、外周面１１１で隣接の方法によって他のフィルターフレームと連結して異なる形状に形成されて異なる場所に適した形にすることもできる（例えば、Ｔ字型、Ｌ字型、或いはより大きな正方形など）。本考案の第１フィルターフレーム１００は軽く、異なったろ過の必要を満たすので、従来の技術の課題を克服することができる。
【００２７】
上記の説明はただ本考案の好ましいと思われる実施例の説明である。この技術に対し、本考案の実用新案登録請求の範囲と上述の説明に基づいて、ほかの変更ができるが、これらの変更は本考案の設計であるべく、本考案の権利的範囲に包含される。
【符号の説明】
【００２８】
１００    第１フィルターフレーム
１００ａ    第２フィルターフレーム
１００ｂ    第３フィルターフレーム
１００ｃ    第４フィルターフレーム
１    フレーム本体
１１    フレームストリップ
１１１    外周面
１１２    内周面
１１３    上周面
１１４    下周面
２    フィルター固定部材
２１    支持凸縁部
２２    フィルター固定ホルダー
３    上周面連結部材
３１    第１壁部
３１ｂ    第１壁部
３２    第２壁部
３２ｂ    第２壁部
４    下周面連結部材
４１    第３壁部
４１ａ    第３壁部
４２    第４壁部
４２ａ    第４壁部
４３    下側凹部
４３ａ    下側凹部
５    フィルター
５１    ろ過面
５２    ドッキング部材
Ａ    セグメント
６    隣接部材
６１    第１隣接壁部
６１ｃ    第１隣接壁部
６２    第２隣接壁部
６２ｃ    第２隣接壁部
６３    外側凹部
Ｃ    フィルター挟み込み溝
Ｇ    隣接溝
Ｐ    ピン
Ｒ    フィルター設置範囲
Ｔ    法線ベクトルの方向
Ｕ    上周面溝Ｕ
【図１】
0003207558.tif 000003
【図２】
0003207558.tif 000004
【図３】
0003207558.tif 000005
【図４】
0003207558.tif 000006
【図５】
0003207558.tif 000007